(57)【特許請求の範囲】
【請求項１】
コンピュータを用いてペットの除脂肪体重を算出するペットの肥満防止支援システムであって、
コンピュータの入力画面に対してペットの、現在の体重、ボディーコンディションスコアー（以下ＢＣＳと記す）、性別、去勢の有無及び年齢のデータを含む現状データセットを入力すべき旨を前記入力画面に表示させる手段と、
現状データセットを入力するデータ入力手段と、
入力された前記現状データセットを記憶する現状データセット記憶手段と、
記憶された前記現状データセットを用い、ペットの除脂肪体重を算出する除脂肪体重演算手段と、
前記除脂肪体重演算手段によって算出された除脂肪体重を記憶する除脂肪体重記憶手段と、
記憶された前記除脂肪体重を出力装置に出力する手段とを備えるペットの肥満防止支援システム。
【請求項２】
前記除脂肪体重演算手段は、ＢＣＳと体脂肪率の関係を記憶するＢＣＳテーブルと、性別および去勢の有無と体脂肪率補正値の関係を記憶する性別等補正テーブルと、年齢に対応する補正値を記憶する年齢補正値記憶テーブルとを備えた体脂肪率演算部と、該体脂肪率演算部によって得られた体脂肪率より除脂肪体重を求める除脂肪体重演算部とを備え、
該体脂肪率演算部は、現状データセット記憶手段に記憶されたＢＣＳ値から前記ＢＣＳテーブルを参照することによって暫定体脂肪率を得る手段と、該暫定体脂肪率を記憶する暫定体脂肪率記憶手段と、前記現状データセット記憶手段に記憶された性別及び去勢の有無に従い性別等補正テーブルより得られた性別等補正値を記憶する性別等補正値記憶手段と、前記現状データセット記憶手段に記憶された年齢に従い前記年齢補正値記憶テーブルより得られた年齢補正値を記憶する年齢補正値記憶手段と、前記暫定体脂肪率記憶手段に記憶された暫定体脂肪率と前記性別等補正値を記憶する手段に記憶された性別等補正値と前記年齢補正値記憶手段に記憶された年齢補正値とを演算する演算手段を有し、更に演算手段にて得られた体脂肪率を記憶する体脂肪率記憶手段とを備え、
前記除脂肪体重演算部は前記現状データセット記憶手段に記憶された現在の体重と前記体脂肪率記憶手段に記憶された体脂肪率とから式（１）に従い除脂肪体重を演算する請求項１記載のペットの肥満防止支援システム。
除脂肪体重（ｋｇ）＝（現在の体重（ｋｇ））×（１００−体脂肪率（％））／１００    （１）
【請求項３】
ペットの現状データセットを入力すべき旨を前記入力画面に表示させる手段において、さらに犬種のデータを入力すべき旨を表示させ、
現状データセットを入力するデータ入力手段において犬種を入力するデータ入力手段を備え、
前記体脂肪率演算部に、犬種と体脂肪率補正値の関係を記憶する犬種補正値テーブルを備え、
前記現状データセット記憶手段に記憶された犬種に従い犬種補正値テーブルより得られた犬種補正値を記憶する犬種補正値記憶手段を備え、
前記演算手段は、前記暫定体脂肪率記憶手段に記憶された暫定体脂肪率と前記性別等補正値を記憶する手段に記憶された性別等補正値と前記年齢補正値記憶手段に記憶された年齢補正値と、前記犬種補正値記憶手段に記憶された犬種補正値とを演算するものである請求項２記載のペットの肥満防止支援システム。
【請求項４】
さらに、適性給与カロリー演算手段を備え、
前記適性給与カロリー演算手段は、除脂肪体重を用いて式（２）に従い適性給与カロリーを演算する、請求項１〜３のいずれかに記載のペットの肥満防止支援システム。
カロリー（ｋｃａｌ）＝Ａ×（除脂肪体重（ｋｇ））0.75
式中、Ａはカロリー係数で８０〜１３０の範囲から選ばれる値である。    （２）
【請求項５】
さらに、適性ペットフード給与量演算手段を備え、該適性ペットフード給与量演算手段は、前記適性給与カロリー演算手段によって算出された適性給与カロリーの値に基づき適性ペットフード給与量を演算する、請求項１〜４のいずれかに記載のペットの肥満防止支援システム。
【請求項６】
使用者の端末装置と管理用のサーバーコンピューターの間でのネットワーク通信を介してペットの除脂肪体重を算出するペットの肥満防止支援方法であって、
前記サーバにおける情報処理が、端末装置の入力画面に対してペットの、現在の体重、ボディーコンディションスコアー（以下ＢＣＳと記す）、性別、去勢の有無及び年齢のデータを含む現状データセットを入力すべき旨を前記入力画面に表示させるステップと、
前記端末装置において入力された現状データセットを前記端末装置よりネットワーク通信を介して受信するステップと、
受信した前記現状データセットを記憶する現状データセット記憶ステップと、
記憶された前記現状データセットを用い、ペットの除脂肪体重を算出する除脂肪体重演算ステップと、
前記除脂肪体重演算ステップにおいて算出された除脂肪体重を記憶する除脂肪体重記憶ステップと、
記憶された前記除脂肪体重を端末装置に配信するステップとから構成されるペットの肥満防止支援方法。
【請求項７】
前記除脂肪体重演算ステップは、ＢＣＳと体脂肪率の関係を記憶するＢＣＳテーブルと、性別および去勢の有無と体脂肪率補正値の関係を記憶する性別等補正テーブルと、年齢に対応する補正値を記憶する年齢補正値記憶テーブルとを備えた体脂肪率演算部と、該体脂肪率演算部によって得られた体脂肪率より除脂肪体重を求める除脂肪体重演算部とを備え、
該体脂肪率演算部は、現状データセット記憶手段に記憶されたＢＣＳ値から前記ＢＣＳテーブルを参照することによって暫定体脂肪率を得るステップと、該暫定体脂肪率を記憶する暫定体脂肪率記憶ステップと、前記現状データセット記憶手段に記憶された性別及び去勢の有無に従い性別等補正テーブルより得られた性別等補正値を記憶する性別等補正値記憶ステップと、前記現状データセット記憶手段に記憶された年齢に従い前記年齢補正値記憶テーブルより得られた年齢補正値を記憶する年齢補正値記憶ステップと、前記暫定体脂肪率記憶手段に記憶された暫定体脂肪率と前記性別等補正値を記憶する手段に記憶された性別等補正値と前記年齢補正値記憶手段に記憶された年齢補正値とを演算する演算ステップを有し、更に演算手段にて得られた体脂肪率を記憶する体脂肪率記憶ステップとを備え、
前記体脂肪演算ステップは、少なくとも、ＢＣＳより暫定体脂肪率を求める暫定体脂肪率演算ステップと、性別および去勢の有無から性別等補正値を求める性別等補正値演算ステップと、年齢より年齢補正値を求める年齢補正値演算ステップと、求められた暫定体脂肪率と性別等補正値と年齢補正値とを演算して体脂肪率を求めるステップとを備え、
前記除脂肪体重演算ステップは、前記体脂肪率演算ステップによって得られた体脂肪率と現状データセットの現在の体重より除脂肪体重を式（１）に従い除脂肪体重を演算する請求項６記載のペットの肥満防止支援方法。
除脂肪体重（ｋｇ）＝（現在の体重（ｋｇ））×（１００−体脂肪率（％））／１００    （１）
【請求項８】
ペットの現状データセットを入力すべき旨を前記入力画面に表示させるステップにおいて、さらに犬種のデータを入力すべき旨を表示させ、
前記受信する現状データセットに入力された犬種が含まれ、前記体脂肪率演算ステップが、犬種と体脂肪率補正値の関係を演算する犬種補正値演算ステップとを更に備えると共に、求められた暫定体脂肪率と性別等補正値と年齢補正値と、犬種補正値とを演算して体脂肪率を求める請求項６又は７記載のペットの肥満防止支援方法。
【請求項９】
さらに、適性給与カロリー演算ステップを備え、
前記適性給与カロリー演算ステップは、除脂肪体重を用いて式（２）に従い適性給与カロリーを演算する請求項６〜８のいずれかに記載のペットの肥満防止支援方法。
カロリー（ｋｃａｌ）＝Ａ×（除脂肪体重（ｋｇ））0.75
式中、Ａはカロリー係数で８０〜１３０の範囲から選ばれる値である。    （２）
【請求項１０】
さらに、適性ペットフード給与量演算ステップを備え、該適性ペットフード給与量演算ステップは、前記適性給与カロリー演算ステップによって算出された適性給与カロリーの値に基づき適性ペットフード給与量を演算する、請求項６〜９のいずれかに記載のペットの肥満防止支援方法。
【発明の詳細な説明】
【技術分野】
【０００１】
本発明は、コンピュータを用いてペットの除脂肪体重および適正給与カロリーを算出するペットの肥満防止支援システム及び肥満防止支援方法に関する。
【背景技術】
【０００２】
近年の豊かな食料事情により肥満が問題となってきている。肥満は、心疾患、動脈硬化、高血圧、糖尿病等の生活習慣病の大きな要因であると認識されるようになったことから、体内における脂肪の蓄積量を管理することが日々の健康を維持増進するために重要であると考えられている。
【０００３】
ペット用の小動物である犬や猫等についても食料事情が豊かになってきており、肥満が問題となっている。ペットへの愛着心が強い飼い主は、犬や猫等が肥満にならないようにフードの給与量をコントロールし、犬や猫等の健康の維持増進を図ることを心がけており、またペット医院に対しても、このような要望をする場合が多い。
【０００４】
このような背景のもと、ペットに必要なペットフードの種類及びその分量等をペットの体重及びボディーコンディションスコアー（ＢＣＳ）に応じて自動的に計算し、これに基づいて自動的に処方箋を作成するためのシステムが提案されている（特許文献１参照）。しかし、ＢＣＳは獣医師が目視及び触診により判定するものなので、客観性に欠けることがある。また、同文献に記載されているシステムでは、計算の元となる算出式が不明であり、計算結果に科学的な妥当性があるのか否かを判断することができない。
【０００５】
【特許文献１】特開２００６−２５６０５号公報
【発明の開示】
【発明が解決しようとする課題】
【０００６】
本発明の目的は、ペットの除脂肪体重をコンピュータを用いて算出するペットの肥満防止支援システムを提供することにある。
【課題を解決するための手段】
【０００７】
本発明は、コンピュータを用いてペットの除脂肪体重を算出するペットの肥満防止支援システムであって、コンピュータの入力画面に対してペットの、現在の体重、ボディーコンディションスコアー（以下ＢＣＳと記す）、性別、去勢の有無及び年齢のデータを含む現状データセットを入力すべき旨を前記入力画面に表示させる手段と、現状データセットを入力するデータ入力手段と、入力された前記現状データセットを記憶する現状データセット記憶手段と、記憶された前記現状データセットを用い、ペットの除脂肪体重を算出する除脂肪体重演算手段と、前記除脂肪体重演算手段によって算出された除脂肪体重を記憶する除脂肪体重記憶手段と、記憶された前記除脂肪体重を出力装置に出力する手段とを備えるペットの肥満防止支援システムを提供することにより前記目的を達成したものである。
【０００８】
また本発明は、使用者の端末装置と管理用のサーバーコンピューターの間でのネットワーク通信を介してペットの除脂肪体重を算出するペットの肥満防止支援方法であって、前記サーバにおける情報処理が、端末装置の入力画面に対してペットの、現在の体重、ボディーコンディションスコアー（以下ＢＣＳと記す）、性別、去勢の有無及び年齢のデータを含む現状データセットを入力すべき旨を前記入力画面に表示させるステップと、前記端末装置において入力された現状データセットを前記端末装置よりネットワーク通信を介して受信するステップと、受信した前記現状データセットを記憶する現状データセット記憶ステップと、記憶された前記現状データセットを用い、ペットの除脂肪体重を算出する除脂肪体重演算ステップと、前記除脂肪体重演算ステップにおいて算出された除脂肪体重を記憶する除脂肪体重記憶ステップと、記憶された前記除脂肪体重を端末装置に配信するステップとから構成されるペットの肥満防止支援方法を提供することにより前記目的を達成したものである。
【発明の効果】
【０００９】
本発明の肥満防止支援システムにおいては、ペットの性別・年齢・種別、去勢・不妊の有無のデータに基づいて体脂肪率の値が補正されるので、体脂肪率の正確な推算が可能となり、除脂肪体重を一層正確に算出できる。このため、より正確な量のペットフード供与量を求めることができ、より適切に肥満防止を支援できるものである。
【発明を実施するための最良の形態】
【００１０】
まず、本発明の第１の実施形態について図１を参照しながら説明する。本実施形態のペットの肥満防止支援システム（以下、「本システム」と記す）は、一台のコンピューター及びそれに接続された入力装置、記憶装置及び出力装置（プリンタ等も含む）を用いて運用されるシステムであり、当該コンピューターにインストールされたプログラムを実行することで実現されるシステムである。
【００１１】
図１に示すように、本システムは、コンピューター、プリンタ、出力画面として表示すべき各データを記憶した記憶装置、モニタ、キーボード及びマウス等の入力手段を備えた入出力装置から構成される。本実施形態のシステムはコンピューターのモニターに入力画面を表示させ、キーボード等の操作により当該入力画面上に入力された各データを受け取り、当該データに基づいて演算を行い、その結果を出力画面としてモニタ上に表示させるものである。
【００１２】
本システムにおいては、コンピューターにインストールされるプログラムすなわちアプリケーション・ソフト・ウェアは、以下の機能ステップｓ１〜ｓ８から構成されている。
・入力画面提供ステップｓ１
本システムにおける入力画面提供手段を実現するステップであり、コンピュータの入力画面に対してペットの、現在の体重、ボディーコンディションスコアー（以下ＢＣＳと記す）、性別、去勢の有無及び年齢のデータからなる現状データセットを入力すべき旨を前記入力画面に表示させる。必要に応じて犬種のデータを入力する欄を設けてもよい。
・データ入力ステップｓ２
本システムにおけるデータ入力手段を実現するステップであり、データ入力が行われる。
・現状データセット記憶ステップｓ３
本システムにおける現状データセット記憶手段を実現するステップであり、入力されたデータを現状データセットとして記憶する。
・除脂肪体重演算ステップｓ４
本システムにおける除脂肪体重演算手段を実現するステップであり、記憶された現状データセットを用い、ペットの除脂肪体重を算出する。
・除脂肪体重記憶ステップｓ５
本システムにおける除脂肪体重記憶手段を実現するステップであり、算出された除脂肪体重を記憶する。
・適性給与カロリー演算ステップｓ６
本システムにおける適性給与カロリー演算手段を実現するステップであり、除脂肪体重を用いて適性給与カロリーを演算する。
・適性ペットフード給与量演算ステップｓ７
本システムにおける適性ペットフード給与量演算手段を実現するステップであり、算出された適性給与カロリーの値に基づき適性ペットフード給与量を演算する。
・出力画面提供ステップｓ８
本システムにおける出力画面提供手段を実現するステップであり、得られた当該ペットの除脂肪体重、１日に必要な適正給与カロリー、ペットフード製品の１日当たりの適正給与量をモニタ上に表示させる。
なお、前記の各ステップの実現においては、各ステップに対応する専用の演算ICを用いてもよい。
【００１３】
前記除脂肪体重演算ステップｓ４は、さらに以下のステップｓ４−１〜ｓ４−６及びｓ４−９〜ｓ４−１０により構成されるが、ｓ４−７〜ｓ４−８を含むことが好ましい。
・暫定体脂肪率演算ステップｓ４−１
現状データセットを記憶する現状データセット記憶手段に記憶されたＢＣＳ値からＢＣＳテーブルを参照することによって暫定体脂肪率を得る。
・暫定体脂肪率記憶ステップｓ４−２
得られた暫定体脂肪率を記憶する。
・性別等による体脂肪率補正値演算ステップｓ４−３
現状データセットを記憶する現状データセット記憶手段に記憶された性別及び去勢の有無から性別等補正テーブルを参照することによって性別及び去勢の有無による体脂肪率補正値（以下、「性別等補正値」という）を得る。
・性別等による体脂肪率補正値記憶ステップｓ４−４
得られた性別等補正値を記憶する。
・年齢による体脂肪率補正値演算ステップｓ４−５
現状データセットを記憶する現状データセット記憶手段に記憶された年齢から年齢補正値記憶テーブルを参照することによって年齢による体脂肪率補正値（以下、「年齢補正値」という）を得る。
・年齢による体脂肪率補正値記憶ステップｓ４−６
得られた年齢補正値を記憶する。
・犬種による体脂肪率補正値演算ステップｓ４−７
現状データセットを記憶する現状データセット記憶手段に記憶された犬種から犬種補正値テーブルを参照することによって犬種による体脂肪率補正値（以下、「犬種補正値」という）を得る。
・犬種による体脂肪率補正値記憶ステップｓ４−８
得られた犬種補正値を記憶する。
・体脂肪率補正値演算ステップｓ４−９
得られた暫定体脂肪率と性別等、年齢、犬種によるそれぞれの体脂肪率補正値とを演算する。
・除脂肪体重算出ステップｓ４−１０
得られた補正後の体脂肪率と入力された現在体重より除脂肪体重を算出する。
【００１４】
以下、図２及び図３に基づき、本システムを詳細に説明する。
図２は本システムの動作を示すフローチャートであり、図３は本システムによってモニタ上に表示される画面の模式図である。図２に示すように、本システムが起動されると、まず前記入力画面提供ステップｓ１が実行される。当該ステップにおいては、図３に示す入力画面がモニター上に表示される。当該入力画面には、ペットの現在体重、ＢＣＳ、性別、年齢を入力する欄が設けられている。さらに、図３に示すように、必要に応じて犬種を入力する欄を設けてもよい。なお、図示していないが、性別の欄には去勢の有無（オスの場合）及び不妊の有無（メスの場合）も入力する。
【００１５】
続くデータ入力ステップｓ２において、入力画面上でＢＣＳ、性別、年齢犬種、去勢・不妊の有無が入力されて実行キーが選択されると、現状データセット記憶ステップｓ３において、入力されたデータが現状データセットとして記憶される。
【００１６】
続いて除脂肪体重演算ステップｓ４が実行され、入力されたデータに応じて、ペットの除脂肪体重が算出される。本ステップは、ＢＣＳと体脂肪率の関係を記憶するＢＣＳテーブルと、性別および去勢の有無と体脂肪率補正値の関係を記憶する性別等補正テーブルと、年齢と体脂肪率補正値の関係を記憶する年齢補正テーブルと、場合により、犬種と体脂肪率補正値の関係を記憶する犬種補正テーブルとを備えた体脂肪率演算部と、該体脂肪率演算部によって得られた体脂肪率より除脂肪体重を求める除脂肪体重演算部により実行される。また本ステップは、前述のようにさらにＳ４−１〜Ｓ４−１０の１０個のステップにより構成されており、これらのステップが順次実行される。前記体脂肪率演算部はｓ４−１〜ｓ４−９に、前記除脂肪体重演算部はｓ４−１０にそれぞれ対応している。
【００１７】
まず暫定体脂肪率演算ステップｓ４−１において、現状データセット記憶ステップｓ３で記憶されたＢＣＳ値からＢＣＳテーブルを参照することによって暫定体脂肪率を得、続く暫定体脂肪率記憶ステップｓ４−２において得られた暫定体脂肪率を記憶する。
前記ＢＣＳテーブルは、具体的にはＢＣＳと暫定体脂肪率との対応関係のデータが格納されたコンピュータ内のメモリ領域のことであり、該メモリ領域に記憶されたデータは、ＢＣＳの値をキーとして、コンピュータの演算部によるデータ参照命令に応じて参照され、それに対応する暫定体脂肪率の値を抽出することができるようになっている。
【００１８】
続いて、性別による体脂肪率補正値算出ステップｓ４−３において、現状データセット記憶ステップｓ３で記憶された性別及び去勢の有無に従い、性別等補正テーブルより性別等補正値を得、続く性別等補正値記憶ステップｓ４−４において得られた性別等補正値を記憶する。本ステップは、オス・メスによる場合分けだけでなく、去勢・不妊の有無による場合分けも含む。
前記性別等補正テーブルは、具体的には性別及び去勢の有無とそれによる体脂肪率補正値との対応関係のデータが格納されたコンピュータ内のメモリ領域のことであり、該メモリ領域に記憶されたデータは、性別及び去勢の有無をキーとして、コンピュータの演算部によるデータ参照命令に応じて参照され、それに対応する体脂肪率補正値を抽出することができるようになっている。
【００１９】
さらに、年齢による脂肪率補正値算出ステップｓ４−５において、現状データセット記憶ステップｓ３で記憶された年齢に従い、年齢補正値記憶テーブルより年齢補正値を得、続く年齢補正値記憶ステップｓ４−６において得られた年齢補正値を記憶する。
前記年齢補正値記憶テーブルは、具体的には年齢とそれによる体脂肪率補正値との対応関係のデータが格納されたコンピュータ内のメモリ領域のことであり、該メモリ領域に記憶されたデータは、年齢をキーとして、コンピュータの演算部によるデータ参照命令に応じて参照され、それに対応する体脂肪率補正値を抽出することができるようになっている。
【００２０】
次に、犬種による体脂肪率補正値算出ステップｓ４−７において、現状データセット記憶ステップｓ３で記憶された犬種に従い、犬種補正値テーブルより体脂肪率補正値を得、続く犬種補正値記憶ステップｓ４−８において得られた犬種補正値を記憶する。
前記犬種補正値テーブルは、具体的には犬種とそれによる体脂肪率補正値との対応関係のデータが格納されたコンピュータ内のメモリ領域のことであり、該メモリ領域に記憶されたデータは、犬種をキーとして、コンピュータの演算部によるデータ参照命令に応じて参照され、それに対応する体脂肪率補正値を抽出することができるようになっている。
【００２１】
本実施形態においては、性別・年齢・犬種による補正ステップｓ４−３〜ｓ４−８を、ｓ４−３  →  ｓ４−４  →  ｓ４−５  →  ｓ４−６  →  ｓ４−７  →  ｓ４−８の順序で実行しているが、（ｓ４−３  →  ｓ４−４）、（ｓ４−５  →  ｓ４−６）及び（ｓ４−７  →  ｓ４−８）の３つのステップ群は、任意の順序で実行が可能である。よって、ここに記載する各ステップの実行順序はあくまで一例である。
【００２２】
次に、体脂肪率補正値演算ステップｓ４−９において、得られた暫定体脂肪率と性別等、年齢、犬種によるそれぞれの体脂肪率補正値とを演算する。本実施形態においては、暫定体脂肪率と、性別等補正値、年齢補正値及び犬種補正値とを加算する演算を行う。
【００２３】
次に、除脂肪体重算出ステップｓ４−１０において、得られた補正後の体脂肪率と入力された現在体重より除脂肪体重を算出する。この除脂肪体重の算出に用いられる体脂肪率の値は、ＢＣＳから求められる体脂肪率の値そのものが用いられるのではなく、前記のように性別・年齢等に基づく補正を行った上での体脂肪率の値が用いられる。
【００２４】
以上のステップｓ４の実行に続いて、除脂肪体重記憶ステップｓ５において、ｓ４において算出された除脂肪体重を記憶し、さらに適性給与カロリー演算ステップｓ６において、ｓ５で記憶された除脂肪体重を用いて適性給与カロリーを演算し、適性ペットフード給与量演算ステップｓ７において、算出された適性給与カロリーの値に基づき適性ペットフード給与量を演算する。ここでフードの給与量の対象とするペットフード製品は、あらかじめシステムの中に規定しておくことも可能である
【００２５】
ステップｓ７までの実行により得られた計算結果は、続く出力画面提供ステップｓ８の実行段階において、図８に示すような出力画面としてモニタ上に表示される。「印刷」アイコンが選択された場合には、当該出力画面上の情報がプリンタによりプリントアウトされ、出力画面のハードコピーが得られる。
【００２６】
本実施形態は、犬や猫に代表される哺乳動物を対象とすることが好適であり、特に犬を対象とすることが体脂肪率の正確な推算の点から好適である。そこで以下の説明では、具体的なペット種として犬を対象とする。
【００２７】
ステップｓ１で表示される画面に各データを入力するに先立ち、先ず対象となる犬のＢＣＳを判定する。ＢＣＳは動物の体型や触診から導かれる外形的特徴に基づき肥満度を段階評価するためのものである。一般的にはＢＣＳは１、２、３、４、５の５段階の判定基準を有している。ＢＣＳ３が標準であり、数値が大きいほど肥満度が高いことを表す。
【００２８】
ＢＣＳの判定部位は、肋骨、腰部、腹部である。これらの部位におけるそれぞれの外形的特徴を獣医師が総合的に判断することで、その犬のＢＣＳが決定される。各部位における具体的な判定方法は以下に示す通りである。
【００２９】
【表１】
0005044346.tif 000002
【００３０】
上記のＢＣＳ判定方法はあくまで目安であり、たとえ３つの部位すべての条件を同時に満たしていなくとも、各部位の特徴を獣医師が総合的に判断してＢＣＳが判定される。本システムにおいては、前記の５段階のＢＣＳの各段階の間に対して、さらに０．５刻みの段階を設けて細分化させたものを用いる。すなわち、１．０、１．５、２．０、２．５、３．０、３．５、４．０、４．５、５．０の計９段階の判定基準を用いて肥満度を分類したＢＣＳを用いる。ＢＣＳ１．５、２．５、３．５、４．５に関する判断は、前記のＢＣＳ判定基準を目安に獣医師が行う。
なお、ＢＣＳは１から９までの９段階の判定基準も用いられている。この場合、１（９段階）→１（５段階）、２（９段階）→１．５（５段階）、３（９段階）→２（５段階）、．．．９（９段階）→５（５段階）のように置き換えることができる。  
【００３１】
本来、犬の肥満度を適切に判定するという観点からは、ＢＣＳのような定性的な指標よりも、体脂肪率による客観的な評価をすることがより望ましい。犬の体脂肪率を簡便に測定できる装置として、本出願人は先に特開２００７−１９５９３１号公報において犬用体脂肪計を提案した。この体脂肪計によれば、犬をはじめとするペット用の小動物の体脂肪を、多くの手間を要することなく、容易かつ精度良く測定することが可能である。しかしながら、体脂肪計はペット医院で使用されているだけであり、まだ一般に広く普及していない。従って、肥満度の評価には一般的には体重やＢＣＳといった定性的な判定が用いられている。そこで、体脂肪計を用いない方法で正確な体脂肪率を推定する方法が望まれていた。
【００３２】
ＢＣＳは前述のように獣医が犬の体に触れ、その体型的な特徴に基づき判定されるものであるが、本発明者らがさらに検討を進めたところ、同じＢＣＳでも性別・年齢により体脂肪率に有意差が生じることが判明した。さらに、去勢メスや不妊メスは、通常の犬と比較して体型が太る傾向にあることや、獣医がＢＣＳ判定のために触った感触と体脂肪率の実測値との間にずれが生じやすいことも、本発明者らの検討の結果判明した。以上の知見に基づき、本実施形態のシステムにおいては、前記した犬の性別や年齢も考慮して体脂肪率が推算される。よって、前記したような、ＢＣＳ判定と体脂肪率との間のずれの問題が解決される。
【００３３】
本発明者らは、ＢＣＳと体脂肪率との対応関係における精度の向上を目的として、約２万頭の犬を対象とした体脂肪率の実測データを収集した。その結果、ＢＣＳと体脂肪率との間には図４に示す関係があることを本発明者らは知見した。総実測数２０、６２４頭のＢＣＳの内訳は以下の通りである。
ＢＣＳ１：２７頭、ＢＣＳ１．５：４９頭、ＢＣＳ２：４３０頭、ＢＣＳ２．５：１、５６３頭、ＢＣＳ３：７，０１５頭、ＢＣＳ３．５：４、６４８頭、ＢＣＳ４：４，０３１頭、ＢＣＳ４．５：１，４３３頭、ＢＣＳ５：８７０頭。
【００３４】
図４に示す結果に基づき、ＢＣＳの各数値に対応する体脂肪率を得ることができる。このようにして得られた関係に基づき、本実施形態においては、ＢＣＳと体脂肪率との具体的な対応関係を以下のように規定した。この対応関係に基づき、ステップｓ４−１においてＢＣＳから体脂肪率を求める。すなわち、以下に示すＢＣＳと体脂肪率との対応関係のデータをＢＣＳテーブルとしてコンピュータ内に記憶することにより、コンピュータの演算部によるＢＣＳをキーとするデータ参照命令に応じ、対応する体脂肪率補正値が抽出される。
ＢＣＳ１は１６．７％、ＢＣＳ１．５は１７．９％、ＢＣＳ２は１９．３％、ＢＣＳ２．５は２１．８％、ＢＣＳ３は２６％、ＢＣＳ３．５は３１．６％、ＢＣＳ４は３５．４％、ＢＣＳ４．５は３８．１％、ＢＣＳ５は４０．０％。なお、上記のＢＣＳと体脂肪率との対応関係において示した数値は、あくまで本実施形態における例示に過ぎず、本発明の実施にあたっては、必ずしも上記の数値に拘束されない。
【００３５】
ステップｓ４−３における体脂肪率の補正は、性別及び去勢・不妊の有無により同じＢＣＳでも体脂肪率が異なるという本発明者らの知見に基づいている。詳細には、オス、メス、去勢オス、不妊メスの４つのグループに対する体脂肪率の実測データとＢＣＳとの関係は図５に示す通りとなる。図５に示すように、去勢オスと去勢されていないオス（インタクトオス）とでは去勢オスの方が同一のＢＣＳでも体脂肪率が高い傾向にある。メスに関しても同様であり、同じメスであっても、不妊メスと不妊でないメス（インタクトメス）とでは不妊メスの方が体脂肪率が高い傾向にある。更にオスとメスとではメスの方が体脂肪率が高い傾向にある。
【００３６】
そこで、本実施形態では、図５に示す知見に基づき、性別及び去勢・不妊の有無に応じて体脂肪率の値を補正する。この補正をステップｓ４−３において行う。補正の具体的な内容は次の通りとする。すなわち、以下に示す性別及び去勢・不妊の有無とそれによる体脂肪率補正値との対応関係のデータを性別等補正テーブルとしてコンピュータ内に記憶することにより、コンピュータの演算部による性別及び去勢・不妊の有無をキーとするデータ参照命令に応じ、対応する体脂肪率補正値が抽出される。
【００３７】
[性別による体脂肪率の補正]
オスが２．５％プラス、去勢オスが０．９％マイナス、メスが±０％、不妊メスが１．３％マイナスとする。
なお、上記において示した数値は、あくまで本実施形態における例示に過ぎず、本発明の実施にあたっては、必ずしも上記の数値に拘束されない。
【００３８】
ステップｓ４−５における体脂肪率の補正は、年齢により同じＢＣＳでも体脂肪率が異なるという本発明者らの知見に基づいている。詳細には、１歳、２−３歳、４−５歳、６−９歳、１０歳以上の５つのグループに対する体脂肪率の実測データとＢＣＳとの関係は図６に示す通りとなる。図６に示すように、年齢に関しても性別と同様に有意差が認められ、加齢によりオスもメスも体脂肪率が増加する傾向にある。
【００３９】
そこで、本実施形態では、図６に示す知見に基づき、年齢に応じて体脂肪率の値を補正する。この補正をステップｓ４−５において行う。具体的には、前記の体脂肪率の実測データをもとに規定された、以下の表２に示す年齢とそれによる体脂肪率補正値との対応関係のデータを年齢補正値記憶テーブルとしてコンピュータ内に記憶する。これによりコンピュータの演算部による年齢をキーとするデータ参照命令による、対応する体脂肪率補正値の抽出が可能となる。
【００４０】
【表２】
0005044346.tif 000003
【００４１】
なお、上記において示した数値は、あくまで本実施形態における例示に過ぎず、本発明の実施にあたっては、必ずしも上記の数値に拘束されない。
【００４２】
ステップｓ４−７における体脂肪率の補正は、犬種により同じＢＣＳでも体脂肪率が異なるという本発明者らの知見に基づいている。詳細には、ＢＣＳ３．０の犬を対象に、さまざまな犬種ごとの体脂肪率を体脂肪計を用いて実測することにより、犬種の違いによるＢＣＳと体脂肪率との対応関係における有意差を見出した。その実測結果を表２に示す。表３に示すように、犬種に関しても有意差が認められ、同じＢＣＳであっても、例えばシェットランド・シープドッグとフレンチ・ブルドックとでは、その体脂肪率に１０％以上の差異が生じることが認められる。
【００４３】
【表３】
0005044346.tif 000004
【００４４】
そこで、本実施形態では、表３に示す知見に基づき、犬種に応じて体脂肪率の値を補正する。この補正をステップｓ４−７において行う。補正の具体的な内容を下記の表４に示す。すなわち、下記表４に示す犬種とそれによる体脂肪率補正値との対応関係のデータを犬種補正値テーブルとしてコンピュータ内に記憶することにより、コンピュータの演算部による犬種をキーとするデータ参照命令に応じ、対応する体脂肪率補正値が抽出される。
なお、表４中の個々の補正数値はすべて実測による実験データ（表３参照）の結果に基づいて算出したものである。
【００４５】
【表４】
0005044346.tif 000005
【００４６】
なお、上記において示した数値は、あくまで本実施形態における例示に過ぎず、本発明の実施にあたっては、必ずしも上記の数値に拘束されない。
【００４７】
ステップｓ４−１０においては、ステップｓ４−９で求められた体脂肪率及び現在体重に基づき、以下の計算式（１）により除脂肪体重を算出する。
除脂肪体重（ｋｇ）＝（現在の体重（ｋｇ））×（１００−体脂肪率（％））／１００  （１）
ここで、除脂肪体重とは犬の全体重のうち、脂肪分の重量を除いた部分の体重である。脂肪部分はエネルギーを消費しないため、犬が必要とするエネルギーは除脂肪体重をもとに判定されるべきである。本システムでは除脂肪体重の算出を行なうため、より正確な適性給与カロリーと適性ペットフード給与量を計算することが可能になるのである。前記式（１）は、「小動物の臨床栄養学第４版」（学窓社）に基づき決定されたものである。
本システムは、適性体重演算手段及び適性体重を出力装置に出力する手段を有していてもよい。
適性体重演算手段は、例えば除脂肪体重に基づき式（３）を用いて適性体重を求めるものが挙げられる。
適性体重（ｋｇ）＝除脂肪体重（ｋｇ）／（（１００−Ｆ（％））／１００）  （３）
ここで、Ｆ（％）は適性体脂肪率であり、動物種、性別、年齢等に応じて適宜設定することができるが、犬の場合、例えば１８〜２７％が好ましく用いられる。
かかる適性体重を提供できることにより、目標とすべき体重を知ることができ、飼い主に対して便宜を図ることができる。
【００４８】
ステップｓ６においては、ステップｓ４−１０で求められた除脂肪体重から以下の計算式（２）により適正給与カロリーを算出する。
適正給与カロリー（ｋｃａｌ）＝Ａ×（除脂肪体重（ｋｇ））0.75       （２）
式中、Ａはカロリー係数で８０〜１３０の範囲から選ばれる値である。
【００４９】
前記式（２）は「小動物の臨床栄養学第４版」（学窓社）に基づき決定されたものである。また、カロリー係数の値に幅を持たせてあるのは、ペットフードの構成成分によって吸収効率が異なるものがあることに基づくものであり、また、飼育状況によってカロリー係数が異なるためである。日本の室内飼育犬において通常食を給与する場合は、カロリー係数としては、８０〜１１０の範囲から選ばれる値を用いることが好ましく、１００を用いることがより好ましい。日本の室内飼育犬において特別療養食を給与する場合は、カロリー係数としては、９０〜１２０の範囲から選ばれる値を用いることが好ましく、１１０を用いることがより好ましい。
【００５０】
続くステップｓ７においては、ｓ６で求められた適正給与カロリーをペットフードの量に換算し、ペットフードの一日当たりの適正給与量を算出する。さらに、ステップｓ８において、ステップｓ７までの実行において得られた計算結果の出力画面に対する出力を行う。モニタ上に表示される出力画面の例を図７に示す。
【００５１】
次に、本発明の第２の実施形態について図８を参照しながら説明する。第２の実施形態について、特に説明しない点については、第１の実施形態に関して詳述した説明が適宜適用される。
【００５２】
先に説明した第1の実施形態が一台のコンピュータ及びそれに接続された各種装置から構成されるコンピュータシステムであったのに対し、本実施形態は、使用者の端末装置と管理用のサーバーコンピューターの間でのネットワーク通信を介して運用されるペットの肥満防止方法に係るものである。本実施形態に係る方法は、プログラムがインストールされたサーバーコンピューターシステムを実行することで実現される。このプログラムは端末装置のモニターに入力画面を表示させ、キーボード等の操作により入力画面上に入力された各データを受信し、受信したデータに基づいて演算を行い、その結果を出力画面としてモニタ上に表示させるものである。図９に示すように、本実施形態に係る方法を実現するためのシステムは、サーバーコンピューター、プリンタ、出力画面として表示すべきペットフード製品のカロリー等の属性データを記憶した記憶装置、ネットワークを介して接続されている、モニタ、キーボード及びマウス等の入力手段を備えた入出力画面表示用の端末装置から構成される。本実施形態においても、先に述べた実施形態と同様に、犬の体脂肪率を精度よく推算できる。
【実施例】
【００５３】
以下、実施例により、本発明をさらに詳細に説明する。
【００５４】
実施例１
一人の獣医師に１００匹の犬のＢＣＳを判定させた。判定結果並びに犬の性別、年齢、犬種、去勢・不妊の有無のデータを図１〜図３に示すシステムに入力し、各犬の体脂肪率を求めた。図１〜図３に示すシステムでは、性別、年齢、犬種、去勢・不妊の有無の補正をすべて実行した。これとは別に、体脂肪計を用いて体脂肪率を測定した。図１〜図３に示すシステムで求められた体脂肪率と、体脂肪計を用いて測定された体脂肪率との関係を図９(ａ)に示す。この測定に使用した体脂肪計は花王（株）製「ヘルスラボ犬用体脂肪計」である。
【００５５】
前記体脂肪計による具体的な測定方法は以下の通りである。測定部位は犬の背骨の中心から２０ｍｍ横の肋骨の直下とする。まず測定部を、消毒用エタノール液を含ませたコットンで６〜７回拭いて皮膚上の皮脂を除く。さらに櫛を使ってその部分の毛をかき分け、皮膚を露出させる。露出した部位に体脂肪計の電極部をあて、測定スイッチを押す。ディスプレー上に表示される体脂肪率を読み取る。
【００５６】
比較例１
実施例１において、獣医師に判定させたＢＣＳと、体脂肪計によって測定された体脂肪率との関係を求めた。その結果を図９（ｂ）に示す。
【００５７】
図９（ａ）に示す結果から明らかなように、図１〜図３に示すシステムを用いて求めた体脂肪率は、体脂肪計を用いて測定された体脂肪率の判定結果と極めて高い相関関係を有することが判る。これに対して、図９（ｂ）に示す結果から明らかなように、ＢＣＳと体脂肪計において測定された体脂肪率との間には、ある程度の相関は見られるものの、その精度は図１〜図３に示すシステムを用いて求めた体脂肪率よりも低いことが判る。
【００５８】
実施例２
以下の犬を対象として、図１〜図３に示すシステムを用いて適正給与カロリーを算出した。その結果に基づき、８週間の間、給与フード量を管理し、試験前後における体重変化を測定した。
犬種：ミニチュア・ダックスフンド
性別：メス（インタクト）
年齢：２歳
ＢＣＳ：４
体重：６．７０ｋｇ
【００５９】
図１〜図３に示すシステムを用いて、ＢＣＳ、年齢、性別、去勢・不妊の有無、犬種から補正した体脂肪率を用い、適正給与カロリーを算出した。給与フードはヘルスラボ特別療法食を用いることとし、給与係数は１１０とした。
暫定体脂肪率：３５．４％
性別補正：０％
年齢補正：−０．３％
犬種補正：−１．１％
体脂肪率：３４．０％
除脂肪体重：４．４ｋｇ
適性給与カロリー：３３５ｋｃａｌ
【００６０】
この適性給与カロリーに基づき、試験期間中の給与フードの内容を以下の通りとし、１２週間の間、給与フード量を管理し、試験前後における体重変化を測定した。結果を表５及び図１０に示す。
ドライフード（３．３５ｋｃａｌ／ｇ）：２７５ｋｃａｌ（８２ｇ）
おやつ（３．１ｋｃａｌ／ｇ）：６０ｋｃａｌ（１９ｇ）
計：３３５ｋｃａｌ
【００６１】
【表５】
0005044346.tif 000006
【００６２】
試験期間中の体重変化は−９．０％であった。除脂肪体重を大きく減少させることなくＢＣＳと体脂肪率を減少させることができ、効果的に体重を減少させることに成功した。すなわち、本システムは犬の肥満防止のための体重管理に有用であることが判る。
【００６３】
実施例３
以下の犬を対象として、図１〜図３に示すシステムを用いて適正給与カロリーを算出した。その結果に基づき、８週間の間、給与フード量を管理し、試験前後における体重変化を測定した。
犬種：ジャック・ラッセル・テリア
性別：オス（去勢）
年齢：３歳
ＢＣＳ：４
体重：８．６０ｋｇ
【００６４】
図１〜図３に示すシステムを用いて、ＢＣＳ、年齢、性別、去勢・不妊の有無、犬種から補正した体脂肪率を用い、適正給与カロリーを算出した。給与フードはヘルスラボ特別療法食を用いることとし、給与係数は１１０とした。
暫定体脂肪率：３５．４％
性別補正：−０．９％
年齢補正：−０．３％
犬種補正：−４．９％
体脂肪率：２９．３％
除脂肪体重：６．１ｋｇ
適性給与カロリー：４２６ｋｃａｌ
【００６５】
この適性給与カロリーに基づき、試験期間中の給与フードの内容を以下の通りとし、１２週間の間、給与フード量を管理し、試験前後における体重変化を測定した。結果を表６及び図１１に示す。
ドライフード（３．３５ｋｃａｌ／ｇ）：３４６ｋｃａｌ（１０３ｇ）
おやつ（３．１ｋｃａｌ／ｇ）：８０ｋｃａｌ（２６ｇ）
計：４２６ｋｃａｌ
【００６６】
【表６】
0005044346.tif 000007
【００６７】
試験期間中の体重変化は−５．８％であった。除脂肪体重を大きく減少させることなくＢＣＳと体脂肪率を減少させることができ、効果的に体重を減少させることに成功した。すなわち、本システムは犬の肥満防止のための体重管理に有用であることが判る。
【００６８】
以上、本発明をその好ましい実施形態について説明したが、本発明は、上述した実施形態に制限されない。例えば前記実施形態は犬を対象としたものであったが、本発明は犬以外のペット、例えば猫のような哺乳類の小動物にも同様に適用することができる。
【図面の簡単な説明】
【００６９】
【図１】本発明の第１の実施形態におけるペットの肥満防止支援システムの機能を示す概略図である。
【図２】図１に示すペットの肥満防止支援システムにおいて実行される処理を示すフローチャートである。
【図３】図１に示すペットの肥満防止支援システムにおいてモニタに表示される入力画面を示す模式図である。
【図４】体脂肪計による犬の体脂肪率の計測値と、それぞれのＢＣＳ判定値との対応を示すグラフである。
【図５】オス、メス、去勢オス及び不妊メスそれぞれの犬の体脂肪率の計測値と、それぞれのＢＣＳ判定値との対応を示すグラフである。
【図６】年齢の違いによる犬の体脂肪率の計測値と、それぞれのＢＣＳ判定値との対応関係を示すグラフである。
【図７】図１に示すペットの肥満防止支援システムにおいてモニタに表示される出力画面を示す模式図である。
【図８】本発明の第２の実施形態におけるペットの肥満防止支援システムの機能を示す概略図である。
【図９】（ａ）は図１に示すペットの肥満防止支援システムにおいて用いられるＢＣＳ補正方法により換算される体脂肪率と、体脂肪計による体脂肪率との対応関係を示したグラフであり、（ｂ）はＢＣＳ（補正なし）と体脂肪計による体脂肪率との対応関係を示したグラフである。
【図１０】実施例２における犬の体重変化の結果を示したグラフである。
【図１１】実施例３における犬の体重変化の結果を示したグラフである。
【図１】
0005044346.tif 000008
【図２】
0005044346.tif 000009
【図３】
0005044346.tif 000010
【図４】
0005044346.tif 000011
【図５】
0005044346.tif 000012
【図６】
0005044346.tif 000013
【図７】
0005044346.tif 000014
【図８】
0005044346.tif 000015
【図９】
0005044346.tif 000016
【図１０】
0005044346.tif 000017
【図１１】
0005044346.tif 000018